(57)【要約】【課題】  商品としての価値を低下させることなく、使い勝手を向上させる通信システム及び通信端末を提供する。【解決手段】  通信システム１０は、有線又は無線の第１の伝送路３００を介して情報を受信すると共に、第１の伝送路３００より通信容量が小さい無線の第２の伝送路を介して情報を送信する第１の通信端末１００と、第２の伝送路４００を介して、第１の通信端末１００からの情報を受信するための第２の通信端末２００とを含む。第１の通信端末１００が、第１の伝送路３００を介して受信した情報の情報量を圧縮して圧縮後の情報を前記第２の通信端末２００に送信する手段を有する。第２の通信端末２００が、第１の通信端末１００からの情報の内容、又は該情報が受信されたことを表示する手段を有する。【選択図】      図１
2007074508.tif 000002
【特許請求の範囲】
【請求項１】
有線又は無線の第１の伝送路を介して情報を受信すると共に、該第１の伝送路より通信容量が小さい無線の第２の伝送路を介して情報を送信する第１の通信端末と、
前記第２の伝送路を介して、前記第１の通信端末からの情報を受信するための第２の通信端末とを含み、
前記第１の通信端末が、前記第１の伝送路を介して受信した情報の情報量を圧縮して圧縮後の情報を前記第２の通信端末に送信する手段を有し、
前記第２の通信端末が、前記第１の通信端末からの情報の内容、又は該情報が受信されたことを表示する手段を有することを特徴とする通信システム。
【請求項２】
請求項１において、
前記第１の通信端末が、
前記第１の伝送路を介して送信された情報の受信処理を行う第１の受信手段と、
前記第１の受信手段によって受信処理された情報の情報量を圧縮する情報圧縮手段と、
前記情報圧縮手段により圧縮された情報を前記第２の伝送路を介して送信するための送信処理を行う第１の送信手段とを含むことを特徴とする通信システム。
【請求項３】
請求項２において、
前記情報圧縮手段が、
前記第１の受信手段によって受信処理された音声情報をテキスト情報に変換し、
前記第１の送信手段が、
前記第２の伝送路を介して前記テキスト情報の送信処理を行うことを特徴とする通信システム。
【請求項４】
請求項２において、
前記情報圧縮手段が、
動画像情報から静止画情報を生成し、
前記第１の送信手段が、
前記第２の伝送路を介して前記静止画情報の送信処理を行うことを特徴とする通信システム。
【請求項５】
請求項２において、
前記情報圧縮手段が、
画像情報の圧縮処理を行い、
前記第１の送信手段が、
前記第２の伝送路を介して圧縮処理後の画像情報の送信処理を行うことを特徴とする通信システム。
【請求項６】
請求項１乃至５のいずれかにおいて、
前記第２の通信端末が、
前記第１の通信端末から前記第２の伝送路を介して送信された情報の受信処理を行う第２の受信手段と、
前記第２の受信手段によって受信処理された情報を伸張する情報伸張手段と、
前記情報伸張手段によって伸張された情報を表示するための情報表示手段と、
前記第２の受信手段によって前記第１の通信端末からの情報が受信されたことを通知するための通知手段とを含むことを特徴とする通信システム。
【請求項７】
請求項６において、
前記情報表示手段は、
前記圧縮後の情報として、テキスト情報、静止画情報又は圧縮処理後の画像情報に対応した画像を表示することを特徴とする通信システム。
【請求項８】
請求項１乃至７のいずれかにおいて、
前記第１の伝送路における伝送到達距離の最大値が、前記第２の伝送路における伝送到達距離の最大値より大きいことを特徴とする通信システム。
【請求項９】
有線又は無線の第１の伝送路を介して情報の受信処理を行う第１の受信手段と、
前記第１の受信手段によって受信処理された情報の情報量を圧縮する情報圧縮手段と、
前記第１の伝送路より通信容量が小さい無線の第２の伝送路を介して、前記情報圧縮手段により圧縮された情報を送信するための送信処理を行う第１の送信手段とを含み、
前記第１の送信手段が、
前記第１の通信端末からの情報の受信の有無を通知する端末に対して、前記第２の伝送路を介して前記情報圧縮手段により圧縮された情報を送信することを特徴とする通信端末。
【請求項１０】
請求項８において、
前記情報圧縮手段が、
前記第１の受信手段によって受信処理された音声情報をテキスト情報に変換し、
前記第１の送信手段が、
前記第２の伝送路を介して前記テキスト情報の送信処理を行うことを特徴とする通信端末。
【請求項１１】
請求項８において、
前記情報圧縮手段が、
動画像情報から静止画情報を生成し、
前記第１の送信手段が、
前記第２の伝送路を介して前記静止画情報の送信処理を行うことを特徴とする通信端末。
【請求項１２】
請求項８において、
前記情報圧縮手段が、
画像情報の圧縮処理を行い、
前記第１の送信手段が、
前記第２の伝送路を介して圧縮処理後の画像情報の送信処理を行うことを特徴とする通信端末。
【請求項１３】
有線又は無線の第１の伝送路を介して受信された情報の情報量を圧縮して該第１の伝送路より通信容量が小さい無線の第２の伝送路を介して送信する端末からの情報の受信処理を行う受信手段と、
前記受信手段によって受信処理された情報を伸張する情報伸張手段と、
前記情報伸張手段によって伸張された情報を表示するための情報表示手段と、
前記受信手段によって前記端末からの情報が受信されたことを通知するための通知手段とを含むことを特徴とする通信端末。
【請求項１４】
請求項１２において、
前記情報表示手段は、
前記圧縮後の情報として、テキスト情報、静止画情報又は圧縮処理後の画像情報に対応した画像を表示することを特徴とする通信端末。
【請求項１５】
請求項９乃至１４のいずれかにおいて、
前記第１の伝送路における伝送到達距離の最大値が、前記第２の伝送路における伝送到達距離の最大値より大きいことを特徴とする通信端末。
【発明の詳細な説明】
【技術分野】
【０００１】
本発明は、通信システム及び通信端末に関する。
【背景技術】
【０００２】
近年の情報処理技術、通信技術や実装技術の進歩によって、携帯可能な電子機器に種々の機能を具備させることができるようになっている。このような電子機器として、例えばウェアラブルコンピュータは、人間が身に付けて利用することを目的としている。
【０００３】
例えば特許文献１には、携帯可能な電子機器を組み合わせて相互にリンクさせ、ローカルなネットワークを形成する使用形態が開示されている。
【特許文献１】特開２００２−９８７９号公報
【発明の開示】
【発明が解決しようとする課題】
【０００４】
しかしながら、上述の機能は、携帯可能な電子機器の本来の機能に付加されるものである。従って、特許文献１に開示されているようにネットワークを形成できる機能を電子機器に備えさせることができたとしても、該電子機器を購入する消費者にとって商品としての価値を低下させるものであっては意味がない。例えば電子機器として腕時計を考えた場合、腕時計に通信機能を持たせることができたとしても、腕時計の厚みや重さが消費者にとって耐えられない場合には、その腕時計の商品としての価値が低下してしまうことになる。これは、軽量且つ小型化により携帯性を特徴とする電子機器では、顕著となる。
【０００５】
このように電子機器の商品としての価値を低下させずに、使い勝手を向上させた通信システムを構築できることが望ましい。
【０００６】
本発明は、以上のような技術的課題に鑑みてなされたものであり、その目的とするところは、商品としての価値を低下させることなく、使い勝手を向上させる通信システム及び通信端末を提供することにある。
【課題を解決するための手段】
【０００７】
上記課題を解決するために本発明は、
有線又は無線の第１の伝送路を介して情報を受信すると共に、該第１の伝送路より通信容量が小さい無線の第２の伝送路を介して情報を送信する第１の通信端末と、
前記第２の伝送路を介して、前記第１の通信端末からの情報を受信するための第２の通信端末とを含み、
前記第１の通信端末が、前記第１の伝送路を介して受信した情報の情報量を圧縮して圧縮後の情報を前記第２の通信端末に送信する手段を有し、
前記第２の通信端末が、前記第１の通信端末からの情報の内容、又は該情報が受信されたことを表示する手段を有する通信システムに関係する。
【０００８】
また本発明に係る通信システムでは、
前記第１の通信端末が、
前記第１の伝送路を介して送信された情報の受信処理を行う第１の受信手段と、
前記第１の受信手段によって受信処理された情報の情報量を圧縮する情報圧縮手段と、
前記情報圧縮手段により圧縮された情報を前記第２の伝送路を介して送信するための送信処理を行う第１の送信手段とを含むことができる。
【０００９】
また本発明に係る通信システムでは、
前記情報圧縮手段が、
前記第１の受信手段によって受信処理された音声情報をテキスト情報に変換し、
前記第１の送信手段が、
前記第２の伝送路を介して前記テキスト情報の送信処理を行うことができる。
【００１０】
また本発明に係る通信システムでは、
前記情報圧縮手段が、
動画像情報から静止画情報を生成し、
前記第１の送信手段が、
前記第２の伝送路を介して前記静止画情報の送信処理を行うことができる。
【００１１】
また本発明に係る通信システムでは、
前記情報圧縮手段が、
画像情報の圧縮処理を行い、
前記第１の送信手段が、
前記第２の伝送路を介して圧縮処理後の画像情報の送信処理を行うことができる。
【００１２】
また本発明に係る通信システムでは、
前記第２の通信端末が、
前記第１の通信端末から前記第２の伝送路を介して送信された情報の受信処理を行う第２の受信手段と、
前記第２の受信手段によって受信処理された情報を伸張する情報伸張手段と、
前記情報伸張手段によって伸張された情報を表示するための情報表示手段と、
前記第２の受信手段によって前記第１の通信端末からの情報が受信されたことを通知するための通知手段とを含むことができる。
【００１３】
また本発明に係る通信システムでは、
前記情報表示手段は、
前記圧縮後の情報として、テキスト情報、静止画情報又は圧縮処理後の画像情報に対応した画像を表示することができる。
【００１４】
上記のいずれかのによれば、第１の通信端末が第１の伝送路を介して情報の受信を行ったことを通知させたり、或いはその情報量が圧縮された情報の内容を表示させたりするだけの機能を第２の通信端末に備えさせることができる。そして、詳細な情報については第１の通信端末でのみ表示等を行わせることができる。これにより、第２の通信端末は、通知機能等の必要最小限の機能のみを備えさせるだけでよいので、第２の通信端末の本来の商品としての価値を低下させることなく、使い勝手の良い通信システム及び通信端末を提供できるようになる。
【００１５】
また本発明に係る通信システムでは、
前記第１の伝送路における伝送到達距離の最大値が、前記第２の伝送路における伝送到達距離の最大値より大きくてもよい。
【００１６】
本発明によれば、第２の通信端末は超低消費電力の通信機能を備えれば済むため、第２の通信端末の低消費電力化を図り、第２の通信端末の本来の商品としての価値を低下させることなく、使い勝手の良い通信システム及び通信端末を提供できるようになる。
【００１７】
また本発明は、
有線又は無線の第１の伝送路を介して情報の受信処理を行う第１の受信手段と、
前記第１の受信手段によって受信処理された情報の情報量を圧縮する情報圧縮手段と、
前記第１の伝送路より通信容量が小さい無線の第２の伝送路を介して、前記情報圧縮手段により圧縮された情報を送信するための送信処理を行う第１の送信手段とを含み、
前記第１の送信手段が、
前記第１の通信端末からの情報の受信の有無を通知する端末に対して、前記第２の伝送路を介して前記情報圧縮手段により圧縮された情報を送信する通信端末に関係する。
【００１８】
また本発明に係る通信端末では、
前記情報圧縮手段が、
前記第１の受信手段によって受信処理された音声情報をテキスト情報に変換し、
前記第１の送信手段が、
前記第２の伝送路を介して前記テキスト情報の送信処理を行うことができる。
【００１９】
また本発明に係る通信端末では、
前記情報圧縮手段が、
動画像情報から静止画情報を生成し、
前記第１の送信手段が、
前記第２の伝送路を介して前記静止画情報の送信処理を行うことができる。
【００２０】
また本発明に係る通信端末では、
前記情報圧縮手段が、
画像情報の圧縮処理を行い、
前記第１の送信手段が、
前記第２の伝送路を介して圧縮処理後の画像情報の送信処理を行うことができる。
【００２１】
また本発明は、
有線又は無線の第１の伝送路を介して受信された情報の情報量を圧縮して該第１の伝送路より通信容量が小さい無線の第２の伝送路を介して送信する端末からの情報の受信処理を行う受信手段と、
前記受信手段によって受信処理された情報を伸張する情報伸張手段と、
前記情報伸張手段によって伸張された情報を表示するための情報表示手段と、
前記受信手段によって前記端末からの情報が受信されたことを通知するための通知手段とを含む通信端末に関係する。
【００２２】
また本発明に係る通信端末では、
前記情報表示手段は、
前記圧縮後の情報として、テキスト情報、静止画情報又は圧縮処理後の画像情報に対応した画像を表示することができる。
【００２３】
また本発明に係る通信端末では、
前記第１の伝送路における伝送到達距離の最大値が、前記第２の伝送路における伝送到達距離の最大値より大きくてもよい。
【発明を実施するための最良の形態】
【００２４】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２５】
１．  通信システム
図１に、本実施形態の通信システムの構成の概要を示す。
【００２６】
通信システム１０は、大容量通信網１２と、小容量通信網１４とを含む。大容量通信網１２には、有線又は無線の伝送路が形成される。小容量通信網１４には、無線の伝送路が形成される。大容量通信網１２内で形成される伝送路の通信容量は、小容量通信網１４内で形成される伝送路の通信容量より大きい。また大容量通信網１２内で形成される伝送路における伝送到達距離の最大値は、小容量通信網１４内で形成される伝送路における伝送到達距離の最大値より大きい。
【００２７】
大容量通信網１２内では、第１の通信端末（広義には通信端末、端末）１００が、図示しない端末、サーバ、基地局又は交換機との間で第１の伝送路３００を形成する。また小容量通信網１４内では、第２の通信端末（広義には通信端末、端末）２００が、第１の通信端末１００との間で第２の伝送路４００を形成する。
【００２８】
即ち、第１の通信端末１００は、有線又は無線の第１の伝送路３００を介して情報を受信すると共に、該第１の伝送路３００より通信容量が小さい無線の第２の伝送路を介して情報を送信する。そして第２の通信端末２００は、第２の伝送路４００を介して、第１の通信端末１００からの情報を受信できるようになっている。更に第１の通信端末１００は、第１の伝送路３００を介して受信した情報の情報量を圧縮して圧縮後の情報を第２の通信端末２００に送信する手段を有する。また第２の通信端末２００が、第１の通信端末１００からの情報の内容、又は該情報が受信されたことを表示する手段を有する。即ち、第２の通信端末２００が、第１の通信端末１００からの情報の内容を表示する手段、又は該情報が受信されたことを通知する手段を有するということができる。
【００２９】
通信容量の大きい伝送路を介して情報を送受信する場合、通信端末には高い処理能力が必要となる。一方、通信容量の小さい伝送路を介して情報を送受信する場合、通信端末にはそれほど高い処理能力が必要とされない。そのため、第１の伝送路３００を介して情報を送受信するとき第１の通信端末１００には高い処理能力が必要とされる一方、第２の伝送路４００を介して情報を送信するとき第１の通信端末１００にはそれ程高い処理能力が必要とされない。また第２の通信端末２００もまた、高い処理能力が必要とされない。
【００３０】
更に、伝送路における伝送到達距離の最大値が大きいほど、通信端末の消費電力は大きくなる。一方、伝送路における伝送到達距離の最大値が小さいほど、通信端末の消費電力は小さくなる。そのため、第１の伝送路３００を介して情報を送受信するとき第１の通信端末１００の消費電力が大きくなる一方、第２の伝送路４００を介して情報を送信するとき第１の通信端末１００の消費電力は小さくて済む。また第２の通信端末２００の消費電力も小さくて済む。
【００３１】
従って、高い処理能力が不要で、弱い電波を受信さえできれば良い第２の通信端末２００は、小型化及び軽量化を図ることができ、携帯型の電子機器として最適なものを提供できるようになる。
【００３２】
図２に、図１の通信システムの使用形態の一例の説明図を示す。
【００３３】
第１の通信端末１００は、例えば携帯電話機、携帯型情報端末（Personal Digital Assistants：ＰＤＡ）、パーソナルコンピュータ等の比較的処理能力が高い電子機器を採用できる。
【００３４】
第２の通信端末２００として、例えば腕時計、補聴器、携帯型オーディオプレーヤ、電子手帳等の小型の電子機器を採用したり、装飾品としての靴、ベルト、眼鏡、指輪、ネックレス、ネクタイピン、鞄等に装着するようにしてもよい。
【００３５】
図２では、第１の通信端末１００として、動画を含む画像のデータ（動画像情報）の送受信が可能な携帯電話機が採用される例を示している。また、第２の通信端末２００として腕時計が採用される例を示している。
【００３６】
情報の受信者５００が所有する第１の通信端末１００としての携帯電話機５１０は、受信者５００が同じく所有する鞄５２０内に収められている。受信者５００の腕には第２の通信端末２００としての腕時計５３０が装着されている。
【００３７】
ここで、第１の伝送路３００を介して携帯電話機５１０に動画の画像データが受信されたとき、携帯電話機５１０は、該画像データの情報量を削減（圧縮）して、削減後の画像データ（例えば静止画の画像データ）を第２の伝送路４００を介して腕時計５３０に送信する。
【００３８】
携帯電話機５１０を中心に所定の伝送到達距離内に、腕時計５３０を装着する受信者５００が居た場合、腕時計５３０は、例えば携帯電話機５１０から第２の伝送路４００を介して情報が受信したことを音や光で通知したり、情報の内容（ここでは静止画）を表示させる。この結果、受信者５００は、携帯電話機５１０に画像データが受信されたことを認識できるようになる。従って、受信者５００は、携帯電話機５１０を常時所持しておく必要はなく、また携帯電話機５１０に情報の受信があるたびにその内容を確認したりする必要がなくなる。更に、受信者５００は、腕時計５３０で表示された情報を見て、必要に応じて鞄５２０から携帯電話機５１０を取り出して、詳細な情報を確認するようにできる。
【００３９】
このように、第１の通信端末１００が第１の伝送路３００を介して情報の受信を行ったことを通知させたり、或いはその情報量が圧縮された情報の内容を表示させたりするだけの機能を第２の通信端末２００に備えさせ、詳細な情報については第１の通信端末１００でのみ表示等を行わせる。これにより、第２の通信端末２００（腕時計５３０）は、超低消費電力の通信機能及び通知機能（或いは情報表示機能）等の必要最小限の機能のみを備えさせるだけでよいので、第２の通信端末２００（腕時計５３０）の本来の商品としての価値を低下させることなく、使い勝手の良い通信システム及び通信端末を提供できるようになる。
【００４０】
２．  通信端末
図３に、図１の第１の通信端末１００の構成の概要を示すブロック図を示す。
【００４１】
第１の通信端末１００は、受信部（第１の受信手段）１１０と、情報圧縮部（情報圧縮手段）１２０と、送信部（第１の送信手段）１３０とを含む。
【００４２】
受信部１１０は、第１の伝送路３００を介して送信された情報の受信処理を行う。例えば受信部１１０は、第１の伝送路３００を介して送信された信号の増幅処理及び復調処理を行い、送信された情報を抽出する。
【００４３】
情報圧縮部１２０は、受信部１１０によって受信処理された情報の情報量を圧縮（削減）する。例えば情報圧縮部１２０は、受信部１１０によって受信処理された音声情報をテキスト情報に変換することで、受信した情報の情報量を圧縮できる。この場合、送信部１３０は、第２の伝送路４００を介して該テキスト情報の送信処理を行う。例えば送信部１３０は、送信すべき信号の増幅、変調処理を行い、第２の伝送路４００を介して送信すべき情報に対応した送信信号を出力する。
【００４４】
また例えば情報圧縮部１２０は、受信部１１０によって受信処理された動画を含む画像のデータ（動画像情報）から１フレームの静止画の画像のデータ（静止画情報）を生成することで、受信した情報の情報量を圧縮してもよい。この場合、送信部１３０は、第２の伝送路４００を介して静止画の画像のデータの送信処理を行うことができる。或いは例えば情報圧縮部１２０は、受信部１１０によって受信処理された画像情報の圧縮処理（例えばＪＰＥＧ（Joint Photographic Coding Experts Group）規格やＭＰＥＧ（Moving Picture Coding Experts Group／Moving Picture Experts Group）規格に従った圧縮処理）を行うことで、受信した情報の情報量を圧縮してもよい。この場合、送信部１３０は、第２の伝送路４００を介して、圧縮処理後の画像情報の送信処理を行うことができる。更にまた情報圧縮部１２０は、受信部１１０によって受信処理された画像情報からサムネイル画像の画像情報を生成することで、受信した情報の情報量を圧縮してもよい。
【００４５】
図４に、図３の第１の通信端末１００の動作フローの一例を示す。
【００４６】
第１の通信端末１００は、図示しない中央演算処理装置（Central Processing Unit：ＣＰＵ）及びメモリを有し、該メモリに記憶されたプログラムを実行するＣＰＵが以下のフローを実現する。
【００４７】
まず、受信部１１０において第１の伝送路３００を介して情報が受信されたか否かの監視を行い（ステップＳ１０：Ｎ）、第１の伝送路３００を介して情報が受信されたことが検出されたとき（ステップＳ１０：Ｙ）、情報圧縮部１２０において受信情報の情報量の圧縮処理が行われる（ステップＳ１１）。
【００４８】
続いて、送信部１３０において、第２の伝送路４００を介して第２の通信端末２００との間の通信経路を確立を行うための処理を行い（ステップＳ１２）、情報圧縮部１２０において情報量が圧縮された情報を送信情報として第２の伝送路４００を介し第２の通信端末２００に送信する（ステップＳ１３）。
【００４９】
その後、通信処理を終了しないとき（ステップＳ１４：Ｎ）、ステップＳ１０に戻る。通信処理を終了するとき（ステップＳ１４：Ｙ）、一連の処理を終了する（エンド）。
【００５０】
このような処理を行う第１の通信端末１００として、例えば携帯電話機を採用できる。
【００５１】
図５に、図３の第１の通信端末１００としての携帯電話機５１０のハードウェア構成例を示す。
【００５２】
携帯電話機５１０は、アンテナ５１１、５１２、変復調部５１３、５１４、表示部５１５、操作入力部５１６、電話部５１７、制御部５１８を含む。
【００５３】
制御部５１８は、変復調部５１３、５１４、表示部５１５、操作入力部５１６、電話部５１７の制御を司る。このような制御部５１８は図示しないＣＰＵ及びメモリを有し、該メモリに記憶されたプログラムを実行するＣＰＵが各部を制御するようになっている。
【００５４】
第１の伝送路３００からの信号はアンテナ５１１で受信され、変復調部５１３に供給される。この変復調部５１３は、第１の伝送路３００を介してアンテナ５１１から送信する信号の復調処理を行うようになっている。またアンテナ５１１を介して、変復調部５１３からの信号を第１の伝送路３００を介して送信できる。この場合、変復調部５１３は、第１の伝送路３００を介して送信する信号の変調処理を行うようになっている。
【００５５】
またアンテナ５１２を介して、変復調部５１４からの信号を第２の伝送路４００を介して送信できる。この変復調部５１４は、第２の伝送路４００を介して送信する信号の変調処理を行うようになっている。更に第２の伝送路４００からの信号はアンテナ５１２で受信され、変復調部５１４に供給される。この変復調部５１４は、第２の伝送路３００を介してアンテナ５１２から送信する信号の復調処理を行うようになっている。
【００５６】
制御部５１８は、アンテナ５１１、５１２を介して受信された信号から、所定の音声情報を抽出して電話部５１７に出力したり、該信号から所定の画像情報を抽出して表示部５１５に出力したりする。また制御部５１８は、画像情報を生成し、該画像情報や電話部５１７からの音声情報を用いて例えばＪＰＥＧ規格やＭＰＥＧ規格で圧縮処理を行うことができる。そしてこの圧縮処理後の情報を送信信号として変復調部５１３、５１４に出力する。
【００５７】
電話部５１７は、携帯電話機としての発呼処理、着呼処理を行う。表示部５１５は、液晶表示（Liquid Crystal Display:ＬＣＤ）パネルを有し、制御部５１８からの制御信号に基づいて表示駆動される。
【００５８】
このような制御部５１８は、操作入力部５１６からの入力指示に対応した制御を行うことができるようになっている。
【００５９】
ここで制御部５１８が、図４における情報圧縮部１２０としての機能を実現できる。またアンテナ５１１及び変復調部５１３が、図４における受信部１１０としての機能を実現し、アンテナ５１２及び変復調部５１４が、図４における送信部１３０としての機能を実現する。
【００６０】
図６に、図１の第２の通信端末２００の構成の概要を示すブロック図を示す。
【００６１】
第２の通信端末２００は、受信部（第２の受信手段）２１０と、通知部（通知手段）２２０と、情報伸張部（情報伸張手段）２３０と、情報表示部（情報表示手段）２４０とを含む。
【００６２】
受信部２１０は、第２の伝送路４００を介して送信された情報の受信処理を行う。例えば受信部２１０は、第２の伝送路４００を介して送信された信号の増幅処理及び復調処理を行い、送信された情報を抽出する。なお第２の通信端末２００において、図６のすべてのブロックを含む構成でなくてもよい。
【００６３】
通知部２２０は、受信部２１０によって第１の通信端末１００からの情報の受信の有無を第２の通信端末２００の外部に通知する。このような通知部２２０は、ＬＣＤパネルやＬＥＤ、スピーカ等を含み、音や光、或いはその組み合わせによって第１の通信端末１００からの情報の受信の有無を通知できるようになっている。
【００６４】
情報伸張部２３０は、受信部２１０によって受信処理された情報を伸張する。即ち情報伸張部２３０は、情報圧縮部１２０の圧縮処理に対応して、受信部２１０によって受信処理された情報の情報量の伸張処理を行う。例えば情報伸張部２３０は、受信部２１０によって受信処理された画像情報の伸張処理（例えばＪＰＥＧ規格やＭＰＥＧ規格に従った伸張処理）を行うことで、受信した情報の情報量を伸張してもよい。
【００６５】
情報表示部２４０は、情報伸張部２３０によって伸張処理された情報を表示する。また情報表示部２４０は、情報伸張部２３０によって伸張処理されず、受信部２２０で受信処理された情報をそのまま表示してもよい。このように情報表示部２４０は、第１の通信端末１００からのテキスト情報、静止画情報又は圧縮処理後の画像情報に対応した画像を表示できる。
【００６６】
図７に、図６の第２の通信端末２００の動作フローの一例を示す。
【００６７】
第２の通信端末２００は、図示しないＣＰＵ及びメモリを有し、該メモリに記憶されたプログラムを実行するＣＰＵが以下のフローを実現する。
【００６８】
まず、受信部２１０において第２の伝送路４００を介して情報が受信されたか否かの監視を行い（ステップＳ３０：Ｎ）、第２の伝送路４００を介して情報が受信されたことが検出されたとき（ステップＳ３０：Ｙ）、情報伸張部２３０において受信情報の情報量の伸張処理が行われる（ステップＳ３１）。
【００６９】
続いて、通知部２２０において、第１の通信端末１００からの情報が受信されたことが第２の通信端末２００の外部に通知され（ステップＳ３２）、情報表示部２４０において情報伸張部２３０において情報量が伸張された情報を表示し（ステップＳ３３）、ステップＳ３０に戻る（リターン）。
【００７０】
このような処理を行う第２の通信端末２００として、例えば腕時計を採用できる。
【００７１】
図８に、図６の第２の通信端末２００としての腕時計５３０のハードウェア構成例を示す。
【００７２】
腕時計５３０は、アンテナ５３１、変復調部５３２、表示部５３３、５３４、時計部５３５、制御部５３６を含む。
【００７３】
制御部５３６は、変復調部５３２、表示部５３３、時計部５３５の制御を司る。このような制御部５３６は図示しないＣＰＵ及びメモリを有し、該メモリに記憶されたプログラムを実行するＣＰＵが各部を制御するようになっている。
【００７４】
第２の伝送路４００からの信号はアンテナ５３１で受信され、変復調部５３２に供給される。この変復調部５３２は、第２の伝送路４００を介してアンテナ５３１から送信する信号の復調処理を行うようになっている。またアンテナ５３１を介して、変復調部５３２からの信号を第２の伝送路４００を介して送信できる。この場合、変復調部５３２は、第２の伝送路４００を介して送信する信号の変調処理を行うようになっている。なお腕時計５３０の送信機能は、第１の通信端末１００としての携帯電話機５１０との間で第２の伝送路４００を確立するための送信処理が行うだけのものであってもよい。
【００７５】
制御部５３６は、アンテナ５３１を介して受信された信号から、所定の画像情報を抽出して表示部５３３に出力したりする。この制御部５３６は、例えばＪＰＥＧ規格やＭＰＥＧ規格で圧縮処理された音声情報又は画像情報の伸張処理を行うことができる。表示部５３３は、ＬＣＤパネルを有し、制御部５３６からの制御信号に基づいて表示駆動される。
【００７６】
時計部５３５は、時計機能を実現し、秒針、分針、時針の駆動制御、或いは時刻のデジタル表示制御を行う。この場合、表示部５３４において、デジタル表示制御された時刻が表示されるようになっている。表示部５３４は、ＬＣＤパネルを有し、時計部５３５からの制御信号に基づいて表示駆動される。
【００７７】
ここで制御部５１８が、図６における情報伸張部２３０としての機能を実現できる。またアンテナ５３１及び変復調部５３２が、図６における受信部２１０としての機能を実現し、表示部５３３が図６における通知部２２０の機能を実現し、表示部５３４が図６における情報表示部２４０の機能を実現する。
【００７８】
図９に、本実施形態の第１及び第２の通信端末１００、２００による通信処理のシーケンスの一例を示す。
【００７９】
まず第１の通信端末１００が第１の伝送路３００を介して情報７００を受信すると、第１の通信端末１００は、情報７００の情報量を圧縮する処理７１０を行う。そして第１の通信端末１００は、第２の通信端末２００に対して第２の伝送路４００を介し、情報量が圧縮された情報７２０を送信する。
【００８０】
第２の通信端末２００は、第２の伝送路４００を介して情報を受信すると、情報量が圧縮された処理７１０に対応した伸張処理７３０を行い、伸張処理後の情報の表示処理７４０を行う。或いは第２の通信端末２００は、第２の伝送路４００を介した情報の受信があった旨の通知処理７４０を行うことで、第１の通信端末１００において情報７００が受信されたことの通知を第２の通信端末２００が代行する。
【００８１】
以上説明したように、第１の通信端末１００が第１の伝送路３００を介して情報の受信を行ったことを第２の通信端末２００が代行して通知させたり、或いはその情報量が圧縮された情報の内容を表示させたりするだけの機能を第２の通信端末２００に備えさせ、詳細な情報については第１の通信端末１００でのみ表示等を行わせる。これにより、第２の通信端末２００は、超低消費電力の通信機能及び通知機能等の必要最小限の機能のみを備えさせるだけでよいので、第２の通信端末２００の本来の商品としての価値を低下させることなく、使い勝手の良い通信システム及び通信端末を提供できるようになる。
【００８２】
なお第１の通信端末１００は、第１の伝送路３００を介した送信機能及び受信機能の他に、第２の伝送路４００を介した送信機能のみを有していてもよい。また第２の通信端末１００は、第２の伝送路４００を介した受信機能のみを有していてもよい。なおこの場合であっても、第１及び第２の通信端末１００、２００は、通信路を確立するための最低限の受信機能及び送信機能を有してもよい。
【００８３】
なお、本発明は上述した実施の形態に限定されるものではなく、本発明の要旨の範囲内で種々の変形実施が可能である。例えば第１の通信端末１００として主として携帯電話機を例に説明したが、本発明がこれに限定されるものではない。また例えば第２の通信端末２００として主として腕時計を例に説明したが、本発明がこれに限定されるものではない。
【００８４】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【００８５】
【図１】本実施形態の通信システムの構成の概要を示す図。
【図２】図１の通信システムの使用形態の一例の説明図。
【図３】図１の第１の通信端末の構成の概要を示すブロック図。
【図４】図３の第１の通信端末の動作フローの一例を示す図。
【図５】第１の通信端末としての携帯電話機のハードウェア構成例を示す図。
【図６】図１の第２の通信端末の構成の概要を示すブロック図。
【図７】図６の第２の通信端末の動作フローの一例を示す図。
【図８】第２の通信端末としての腕時計のハードウェア構成例を示す図。
【図９】本実施形態の第１及び第２の通信端末による通信処理のシーケンスの一例を示す図。
【符号の説明】
【００８６】
１０  通信システム、  １２  大容量通信網、  １４  小容量通信網、
１００  第１の通信端末、  １１０  受信部、  １２０  情報圧縮部、
１３０  送信部、  ２００  第２の通信端末、  ２１０  受信部、  ２２０  通知部、
２３０  情報伸張部、  ２４０  情報表示部、  ３００  第１の伝送路、
４００  第２の伝送路
【図１】
2007074508.tif 000003
【図２】
2007074508.tif 000004
【図３】
2007074508.tif 000005
【図４】
2007074508.tif 000006
【図５】
2007074508.tif 000007
【図６】
2007074508.tif 000008
【図７】
2007074508.tif 000009
【図８】
2007074508.tif 000010
【図９】
2007074508.tif 000011